(57)【要約】【課題】ガスバーナ使用時に、ガスボンベのガス残量が少なくなってきたら、圧力センサによって該ガスボンベ内の圧力低下を検知し、ガスの残量を確認できるようにする。【解決手段】ガスボンベ１０と、該ガスボンベ１０からのガスが供給されるフレーム筒６とを有し、該フレーム筒６にてガスを燃焼させて歯科治療に必要な部材の熱処理を行う。ガスボンベ１０は、ガスボンベ収納ボックス１１内に収納され、該ガスボンベ収納ボックス１１は、点火栓制御ボックス３に出し入れ可能に設けられている。ガスボンベ１０のガス圧を検出するガス圧検出１４センサを有し、ガスボンベのガス圧が所定圧以下に低下した時に、ＬＥＤ点火コントローラ１６は、ＬＥＤ１５を点灯させて警告を発生する。【選択図】図１
2010104588.tif 000002
【特許請求の範囲】
【請求項１】
ガスボンベと、該ガスボンベからのガスが供給されるフレーム筒とを有し、前記フレーム筒にてガスを燃焼させて歯科治療に必要な部材の熱処理を行う歯科用ガスバーナにおいて、前記ガスボンベのガス圧を検出するガス圧検出センサを有し、ガスボンベのガス圧が所定圧以下に低下した時に、警告を発生するようにしたことを特徴とする歯科用ガスバーナ。
【請求項２】
前記ガスボンベを交換可能に収納するガスボンベ収納ボックスを有し、該ガスボンベ収納ボックスの表面にＬＥＤを配設し、該ＬＥＤを点灯することによって、前記警告を発生するようにしたことを特徴とする請求項１に記載の歯科用ガスバーナ。
【請求項３】
前記ガスボンベ収納ボックスは、ガスバーナ点火栓制御ボックス内に出入可能に配設され、前記ガスボンベ収納ボックスが前記ガスバーナ点火栓制御ボックスより引き出された状態で、該ガスボンベ収納ボックスにガスボンベが交換可能に装着されることを特徴とする請求項２に記載の歯科用ガスバーナ。
【発明の詳細な説明】
【技術分野】
【０００１】
本発明は、歯科用ガスバーナ、より詳細には、ガスボンベを交換可能に有し、該ガスボンベのガスをフレーム筒に供給し、該フレーム筒にて燃焼させ、そのフレーム（炎）にて歯科治療に必要な部材を熱処理するガスバーナに係り、特に、前記ガスボンベ内のガス残量が少なくなったことをガス圧センサにて検出・表示し、使用者に、ガスボンベの交換時期を知らせるようにした歯科用ガスバーナに関する。
【背景技術】
【０００２】
図２は、本発明が適用されるガスバーナの一例を説明するための概略図で、図中、１はフレーム支持管（ガス供給流路）、２は点火栓支柱、３はガス点火栓制御ボックス、４はカバー、５はプロテクターで、同図は、カバー４を開いた状態を示している。このガスバーナは、周知のように、点火栓制御ボックス３内に、前記フレーム支持管１に連通するガスボンベが収納されており、ガス点火・消火スイッチ９を押すことにより、フレーム筒支持管１の下方に設けられている弁を開き、該弁を通して噴出されたガスがフレーム筒支持管１内を上昇し、該フレーム支持管１の上部に設けられたフレーム（flame）筒６で燃焼し、前記ガス点火・消火スイッチ９を再度押すことによって前記弁が閉じ、ガスの燃焼を消すようになっている。なお、ガスを燃焼させるためには、前記ガス点火・消火スイッチ９を押して、前記弁を開くとともに点火栓７とフレーム筒６の略中心部に設けられた放電端子８との間に火花放電を発生させ、フレーム筒６より放出されるガスを点火させる。
【０００３】
前述のごときガスバーナにおいては、ガスバーナ使用時に、ガスボンベ内のガス残量がわからず、ガスボンベの交換時期を事前に知ることができず、そのため、急にガス切れを起してしまい、作業中の熱処理作業が無駄になってしまう等の問題があった。
【発明の開示】
【発明が解決しようとする課題】
【０００４】
本発明は、上述のごとき実情に鑑みてなされたもので、ガスバーナ使用時に、ガスボンベのガス残量が少なくなってきた時に、圧力センサによって該ガスボンベ内の圧力低下を検知し、ガスの残量を確認できるようにすること、また、ガスボンベ収納ボックスの前面にＬＥＤを付け、ガス残量が少なくなった時に該ＬＥＤを点灯することによってガスボンベ交換時期を使用者に知らせるようにすること、を目的としてなされたものである。
【課題を解決するための手段】
【０００５】
請求項１の発明は、ガスボンベと、該ガスボンベからのガスが供給されるフレーム筒とを有し、前記フレーム筒にてガスを燃焼させて歯科治療に必要な部材の熱処理を行う歯科用ガスバーナにおいて、前記ガスボンベのガス圧を検出するガス圧検出センサを有し、ガスボンベのガス圧が所定圧以下に低下した時に、警告を発生するようにしたことを特徴としたものである。
【０００６】
請求項２の発明は、請求項１の発明において、前記ガスボンベを交換可能に収納するガスボンベ収納ボックスを有し、該ガスボンベ収納ボックスの表面にＬＥＤを配設し、該ＬＥＤを点灯することによって、前記警告を発生するようにしたことを特徴としたものである。
【０００７】
請求項３の発明は、請求項２の発明において、前記ガスボンベ収納ボックスは、ガスバーナ点火栓制御ボックス内に出入可能に配設され、前記ガスボンベ収納ボックスが前記ガスバーナ点火栓制御ボックスより引き出された状態で、該ガスボンベ収納ボックスにガスボンベが交換可能に装着されることを特徴としたものである。
【発明の効果】
【０００８】
本発明によると、歯科用ガスバーナにおいて、ガスボンベの残量が少なくなってきたことを、ガスボンベ収納ボックス前面に設けられたＬＥＤによって使用者に知らせるようにしたので、ガスボンベの交換時期が分かりやすく、ガス切れによる突然の作業中断がなくなる。
【発明を実施するための最良の形態】
【０００９】
図１は、本発明によるガスバーナの一実施例を説明するための要部構成図で、図中、３は、図２に示したガス点火栓制御ボックス３に相当するボックスで、この点火栓制御ボックス３内にガスボンベ１０が収納されており、本発明は、このガスボンベ１０内のガス圧の検出・表示を行うものである。
【００１０】
ガスボンベ１０は、ガスボンベ収納ボックス１１に交換可能に装着されるようになっており、ガスボンベ交換時、ガスボンベ収納ボックス１１を、図中に点線にて示すように、点火栓制御ボックス３より前方に引き出して、ガスボンベ１０を交換可能になっている。ガスボンベ１０内のガスが、ガス供給路１２、及び、該ガス供給路１２中に設けられた弁１３を通してフレーム筒６に供給されるようになっており、前述のガス点火・消化スイッチ９をオン・オフすることによって、燃焼、消火される。１４は、ガスボンベ１０内のガス圧を検出する圧力センサ、１５はガスボンベ１０内のガス圧が所定値以下に低下した時に点灯するＬＥＤ、１６は前記圧力センサ１４の出力を監視し、その圧力センサ１４の出力が所定値以下の場合に前記ＬＥＤ１５を点灯させるコントローラで、使用者は、前記ＬＥＤ１５の点灯により、ガスボンベ１０の交換時期を知ることができる。
【００１１】
前記ＬＥＤ１５は、ガスボンベ収納ボックス１１の前面板１１’の表面に設けられており、また、前記ガス圧検出センサ１４、コントローラ１６等も、前記ガスボンベ収納ボックス１１に設けられており、これにより、センサ１４、ＬＥＤ１５、コントローラ１６等の配設がガスボンベ収納ボックス１１の移動に支障しないようになっている。
【図面の簡単な説明】
【００１２】
【図１】本発明が適用される従来の歯科用ガスバーナの一例を説明するための要部構成図である。
【図２】本発明によるガス圧検出、表示機能を備えた歯科用ガスバーナの要部構成図である。
【符号の説明】
【００１３】
３…点火栓制御ボックス、６…フレーム筒、１０…ガスボンベ、１１…ガスボンベ収納ボックス、１３…弁、１４…ガス圧検出センサ、１５…ＬＥＤ、１６…コントローラ。
【図１】
2010104588.tif 000003
【図２】
2010104588.tif 000004